(57)【特許請求の範囲】
【請求項１】
花卉を挿入するための開口を有する非浸水性の容器と、
前記容器の表面に配置された表示部と、
前記表示部に表示させる模様であって、前記花卉の種類に応じてあらかじめ定められるとともに前記花卉によって異なる外観となる模様を特定するコンテンツ特定情報を読み取る読取部と、
を備え、
前記表示部は、前記模様を選択可能な態様で表示する、
ことを特徴とする花卉用電子機器。
【請求項２】
前記花卉用電子機器とは異なる外部の機器とネットワークを介して通信する通信部をさらに備え、
前記読取部は、前記通信部を介して前記コンテンツ特定情報で特定されるコンテンツを取得する、
ことを特徴とする請求項１に記載の花卉用電子機器。
【請求項３】
前記読取部は、前記花卉用電子機器のユーザに前記花卉を贈答した送り主が作成したメッセージを、前記コンテンツとして取得することを特徴とする請求項２に記載の花卉用電子機器。
【請求項４】
前記表示部を覆う光透過性の防水部材をさらに備えることを特徴とする請求項１から３のいずれか一項に記載の花卉用電子機器。
【請求項５】
商用電源から前記花卉用電子機器が使用する電力を取得する電力取得部と、
前記電力取得部が取得する電力によって充電され、前記花卉用電子機器に電力を供給する蓄電部と、
をさらに備え、
前記表示部は、前記商用電源による前記電力取得部への電力供給が遮断された場合、前記蓄電部の電力で発光する、
ことを特徴とする請求項１から４のいずれか一項に記載の花卉用電子機器。
【発明の詳細な説明】
【技術分野】
【０００１】
本発明は花卉用電子機器に関し、特に表面に表示デバイスを備える花瓶に関する。
【背景技術】
【０００２】
生花又は盛花を入れるフラワーポットホールと、これの周囲四方に配置された４面の電子表示画面を備えるデコレーションポットが知られている。このデコレーションポットは宴会場で使用されることが想定されており、フラワーポットに入れられる生花又は盛花により周囲の雰囲気を和ませたり、高めたりできる上、宴会場内の見づらい所にいる人の様子を電子表示画面に表示することで、身体や首を捩ることなく、自然で楽な姿勢で宴会場内の見づらい所をみることができるようになる。
【先行技術文献】
【特許文献】
【０００３】
【特許文献１】特開２００４−１５４１５９号公報
【発明の概要】
【発明が解決しようとする課題】
【０００４】
特許文献１に開示されているデコレーションポットは、フラワーポットに入れられる生花又は盛花とは関係の薄い、宴会場内の見づらい所にいる人の様子を電子表示画面に表示する。これに対して本願の発明者は、花瓶に活ける花卉と、その花瓶の表面に設けた表示部に表示させる映像とを関連付けることができる可能性について認識するに至った。
【０００５】
本発明はこれらの点に鑑みてなされたものであり、活ける花卉に応じた映像を表面に表示する花瓶を提供することを目的とする。
【課題を解決するための手段】
【０００６】
本発明の第１の態様の花卉用電子機器は、花卉を挿入するための開口を有する非浸水性の容器と、前記容器の表面に配置された表示部と、前記花卉に関連付けられ、前記表示部に表示させるコンテンツを特定するコンテンツ特定情報を読み取る読取部と、を備える。
【０００７】
前記花卉用電子機器とは異なる外部の機器とネットワークを介して通信する通信部をさらに備えてもよく、前記読取部は、前記通信部を介して前記コンテンツ特定情報で特定されるコンテンツを取得してもよい。
【０００８】
前記読取部は、前記花卉の種類に応じてあらかじめ定められた画像を、前記コンテンツとして取得してもよい。
【０００９】
前記読取部は、前記花卉用電子機器のユーザに前記花卉を贈答した送り主が作成したメッセージを、前記コンテンツとして取得してもよい。
【００１０】
前記表示部を覆う光透過性の防水部材をさらに備えてもよい。
【００１１】
商用電源から前記花卉用電子機器が使用する電力を取得する電力取得部と、前記電力取得部が取得する電力によって充電され、前記花卉用電子機器に電力を供給する蓄電部と、をさらに備えてもよく、前記表示部は、前記商用電源による前記電力取得部への電力供給が遮断された場合、前記蓄電部の電力で発光してもよい。
【発明の効果】
【００１２】
本発明によれば、活ける花卉に応じた映像を表面に表示する花瓶を提供することができる。
【図面の簡単な説明】
【００１３】
【図１】実施の形態に係る花卉用電子機器の外観の一例を示す模式図である。
【図２】実施の形態に係る花卉用電子機器の機能構成を模式的に示す図である。
【図３】実施の形態の花卉用電子機器の側面を模式的に示す側面図である。
【図４】実施の形態に係る花卉用電子機器の表示部の表示画面の一例を示す図である。
【図５】実施の形態に係る花卉用電子機器の表示部の表示画面の別の例を示す図である。
【図６】実施の形態に係る花卉用電子機器の表示部の表示画面のさらに別の例を示す図である。
【図７】実施の形態に係る花卉用電子機器の記憶部が記憶するコンテンツのデータ構造を模式的に示す図である。
【図８】商用電源からの電力供給が遮断された場合における表示部の表示画面の一例を示す図である。
【発明を実施するための形態】
【００１４】
＜実施の形態の外観＞
図１は、実施の形態に係る花卉用電子機器１の外観の一例を示す模式図である。実施の形態に係る花卉用電子機器１は花卉を活けるための花瓶であり、花瓶の表面の少なくとも一部には、デジタル情報を表示するための表示部１２が配置されている。花卉用電子機器１はさらに、表示部１２に表示させるコンテンツを特定可能なコンテンツ特定情報を読み取るための読取部１１も備える。花卉用電子機器１は、ユーザに音声情報を伝えるための音声出力部１７も備える。
【００１５】
花卉用電子機器１は花瓶であるため、花卉を挿入するための開口２を有する。この開口２は非浸水性の容器３の一部に設けられており、開口２と容器３とで花瓶を構成する。花卉用電子機器１のユーザは、容器３内に水を溜めて開口２から花卉を挿入することにより、花卉用電子機器１を花瓶として用いることができる。また花卉用電子機器１は、容器３の下部に、読取部１１や表示部１２、音声出力部１７等を駆動するための電子部材や電源等を収容する電装部品収容部４を備える。図１に示す花卉用電子機器１の例では容器３は平行六面体形状であり、側面を構成する４つの面のうちの一面が表示部１２として機能する。
【００１６】
ここで表示部１２に表示させるコンテンツは、開口２から挿入する花卉に関連付けられているコンテンツであり、一例としては挿入する花卉の種類に応じてあらかじめ定められている花瓶の図柄を示す画像である。また、読取部１１が読み取るコンテンツ特定情報は、例えばユーザが花卉を購入する際にその花卉の包装等に取り付けられたＱＲコード（登録商標）やバーコード、又はＵＲＬ（Uniform Resource Locator）等の識別子である。ユーザが花卉に付されているコンテンツ特定情報を読取部１１に読み取らせると、表示部１２にはその花卉の種類に応じた図柄が表示される。これにより、花卉用電子機器１は、開口２に挿入する花卉にマッチした図柄の花瓶とすることができる。なお図１に示す例では、表示部１２は複数の花柄で構成された模様を表示している。表示部１２は静止画像のみならず、動画像を表示することもできる。
【００１７】
＜機能構成＞
図２は、実施の形態に係る花卉用電子機器１の機能構成を模式的に示す図である。花卉用電子機器１は、蓄電部１０、読取部１１、表示部１２、記憶部１３、電力取得部１４、制御部１５、通信部１６、及び音声出力部１７を備える。また、蓄電部１０と電力取得部１４とで、花卉用電子機器１の電源１８を構成する。
【００１８】
図２は、実施の形態に係る花卉用電子機器１における電子機器としての機能を実現するための構成を示しており、その他の構成は省略している。図２において、さまざまな処理を行う機能ブロックとして記載される各要素は、ハードウェア的には花卉用電子機器１のＣＰＵ（Central Processing Unit）、メインメモリ、その他のＬＳＩ（Large Scale Integration）で構成することができる。またソフトウェア的には、メインメモリにロードされたプログラム等によって実現される。したがってこれらの機能ブロックが、花卉用電子機器１の計算リソースによっていろいろな形で実現できることは当業者には理解されるところであり、いずれかに限定されるものではない。
【００１９】
通信部１６は、インターネット等のネットワーク６を介して、例えばサーバ等の花卉用電子機器１とは異なる外部の機器と通信する。通信部１６は、例えばＷｉ−Ｆｉ（登録商標）モジュールや携帯電話通信モジュール等の既知の無線通信モジュールを用いて実現できる。
記憶部１３は、花卉用電子機器１の動作を制御するオペレーティングシステム（Operating System）を格納する。記憶部１３はまた、表示部１２に表示させるコンテンツ等の電子情報も記憶している。記憶部１３は、例えばＳＳＤ（Solid State Drive）等の大容量記憶ストレージで実現できる。なお、記憶部１３は、通信部１６及びネットワーク６を介してサーバ等の他の装置から取得したコンテンツも格納する。通信部１６が取得するコンテンツは、コンテンツ特定情報で特定されるコンテンツである。
【００２０】
表示部１２は、コンテンツ特定情報で特定されるコンテンツを表示する。表示部１２は、液晶や有機ＥＬ（electroluminescence）等の既知の薄型表示素子を用いて実現できる。特に、容器３の表面が曲面形状である場合には、表示部１２として折り曲げ可能な有機ＥＬが好適に用いられる。
また、表示部１２は、ユーザによるタッチを検出可能なタッチパネルを備えていてもよい。これにより、表示部１２はユーザによる花卉用電子機器１への入力インタフェースとしても機能することになる。以下では、表示部１２がタッチパネルも備えるタッチスクリーンであることを前提とする。
【００２１】
制御部１５は、記憶部１３からオペレーティングシステムを読み出して実行することにより、花卉用電子機器１の動作を制御する。制御部１５は、ＣＰＵやＤＲＡＭ（Dynamic Random Access Memory）で実現される。
【００２２】
読取部１１はコンテンツ特定情報を読み取る。読取部１１は、ＣＣＤ（Charge-Coupled Device）やＣＭＯＳ（Complementary  Metal-Oxide-Semiconductor）等の既知の固体撮像素子を用いて実現できる。読取部１１が読み取ったコンテンツ特定情報は制御部１５によって解釈される。例えば読取部１１が読み取ったコンテンツ特定情報がコンテンツをダウンロードするサーバにアクセスするためのＵＲＬである場合、制御部１５は通信部１６及びネットワーク６を介してサーバにアクセスし、コンテンツをダウンロードする。ダウンロードしたコンテンツに音声データが含まれている場合、制御部１５は音声データを再生して音声出力部１７に出力する。音声出力部１７は、既知のスピーカである。
【００２３】
電力取得部１４は、商用電源５から花卉用電子機器１が使用する電力を取得する。図示はしないが、電力取得部１４は家庭用のコンセントにプラグを差し込むことにより、商用電源５から電力の供給を受ける。蓄電部１０は、電力取得部１４が商用電源５から電力の供給を受けている間はその電力によって充電される。また蓄電部１０は、例えば停電やプラグが抜かれた状態となっている等の理由で商用電源５による電力取得部１４への電力供給が遮断された場合、花卉用電子機器１に電力を供給する。蓄電部１０は、ニッケル水素電池やリチウムイオン電池等の既知の二次電池を用いて実現できる。
【００２４】
＜防水部材＞
図３は、実施の形態の花卉用電子機器１の側面を模式的に示す側面図である。より具体的には、花卉用電子機器１の容器３における４つの側面のうち、表示部１２として機能する側面に隣接する側面側から見た場合の図である。
【００２５】
表示部１２は液晶パネル等の電子部材であり、水に濡れるとその機能が低下する場合がある。一方、実施の形態に係る花卉用電子機器１は花卉を活けるための花瓶であるため、その性質上水に触れる機会が多い。そこで実施の形態に係る花卉用電子機器１は、図３に示すように、表示部１２を覆う光透過性の防水部材１９を備える。防水部材１９は、例えばアクリルや硬化ガラス等の透明で非浸水性の部材によって実現できる。これにより、例えば容器３内の水の入れ替え時や、何らかの理由で花卉用電子機器１を転倒させてしまった時などに、表示部１２が浸水してしまうことを抑制できる。
【００２６】
＜表示部が表示するコンテンツ＞
以下、図４、図５、及び図６を参照して、表示部１２が表示するコンテンツについてより詳細に説明する。
図４は、実施の形態に係る花卉用電子機器１の表示部１２の表示画面の一例を示す図である。具体的に、図４は、読取部１１がコンテンツ特定情報を読み取ったときに表示部１２が表示する表示画面の一例を示す図である。図４は、ユーザがバラの花束に付されているコンテンツ特定情報を読取部１１で読み取った場合に表示部１２が表示する表示画面例である。表示部１２には、表示部１２に表示させる模様２０と、第１操作アイコン２１ａ、第２操作アイコン２１ｂ、及び第３操作アイコン２１ｃの３つの操作アイコン２１が表示されている。
【００２７】
ユーザは、表示部１２に模様２０を表示させることを承諾する場合、第１操作アイコン２１ａをタップする。図示はしないが、これにより表示部１２に全体が模様２０で示される模様が表示される。また、ユーザが表示部１２に模様２０以外の他の模様を表示させることを望む場合、第２操作アイコン２１ｂをタップする。図示はしないが、この結果、表示部１２には他に選択可能な模様を示すアイコンが表示され、ユーザは所望の模様を選択することができる。ユーザが表示部１２に表示させる模様の選択を保留し、表示部１２に何も表示させないことを望む場合、第３操作アイコン２１ｃをタップする。これにより、ユーザが表示部１２に触れるまで表示部１２は表示動作を中断する。
【００２８】
図５は、実施の形態に係る花卉用電子機器１の表示部１２の表示画面の別の例を示す図である。具体的に、図５は花卉用電子機器１のユーザが他者から受け取ったメッセージを受け取った場合に表示部１２が表示する表示画面例を示している。
【００２９】
近年、インターネットを利用したネットショッピングサービスが広く普及している。花卉業界においては、ネットショッピングのユーザは花束等の商品を自分自身で使用するために購入するだけでなく、他人に贈答するために購入することも多い。例えばある人物の誕生日には、家族や友人、同僚等から花束が自宅に届けられることもある。
【００３０】
図５は、他者からメッセージとともに花束を贈られた場合に、花卉用電子機器１のユーザがその花束に付されたコンテンツ特定情報を読取部１１に読み取らせたときの表示画面の一例である。コンテンツ特定情報にはユーザに向けた他者のメッセージをダウンロードするためのＵＲＬが含まれており、読取部１１は制御部１５による制御の下、ネットワーク６を介してそのメッセージをダウンロードする。これにより、読取部１１は、花卉用電子機器１のユーザに花束を贈答した送り主が作成したメッセージを取得し、表示部１２に表示させることができる。
【００３１】
このように、コンテンツ特定情報が特定するコンテンツは、花卉用電子機器１のユーザに花卉を贈答した送り主が作成したメッセージも含まれる。このメッセージは図５に示すようなテキストメッセージに限られず、ヴォイスレターのような音声メッセージ、ビデオレターのような動画メッセージであってもよい。またユーザが表示部１２に表示された第４操作アイコン２１ｄをタップすると、表示部１２の表示画面は図示しないメッセージ作成画面に遷移する。メッセージ作成画面では、ユーザはネットワーク６を介して花束の送り主にメッセージを送信することができる。
【００３２】
図６は、実施の形態に係る花卉用電子機器１の表示部１２の表示画面のさらに別の例を示す図である。具体的に、図６は花卉用電子機器１の表示部１２が広告画面を表示している場合の例を示している。
【００３３】
実施の形態に係る花卉用電子機器１は、ネットワーク６を介してサーバ等の外部の装置と通信することができる。このため、花卉用電子機器１は生花店をはじめとする企業の広告を受信して、表示部１２に表示させることができる。例えばある企業は、ユーザがその企業からの広告を受信することを承諾することの見返りに、ユーザに花卉用電子機器１を安価又は無料で取得できるようにしてもよい。これにより花卉用電子機器１を提供した企業はユーザに広告を配信できるようになる。この広告は、ユーザが読取部１１にコンテンツ特定情報を読み取らせることを契機として配信されてもよい。この意味で、コンテンツ特定情報が特定するコンテンツは企業の広告が含まれてもよい。
なおユーザは、図６に示す第５操作アイコン２１ｅをタップすることにより、広告表示を中止することもできる。
【００３４】
＜コンテンツのデータ構造＞
図７は、実施の形態に係る花卉用電子機器１の記憶部１３が記憶するコンテンツのデータ構造を模式的に示す図である。コンテンツは、花卉を一意に特定する花卉識別子毎に、コンテンツデータの各データフィールドが管理されている。図７は、花卉識別子がＩＤ００１０２３５で特定される花卉のデータフィールドを例示している。図７に示すように、コンテンツデータは、花卉の種類、花卉を活けたときに表示部１２が表示する模様を特定する情報、花卉の送り主から預かった花卉の受取主に宛てたメッセージ、音声出力部１７が再生するＢＧＭ（Back Ground Music）を特定する情報、表示部１２に表示させる広告の動画を特定する情報等を格納するデータフィールドが含まれる。
【００３５】
なお、図示はしないが、コンテンツには図７に示すデータフィールド以外の種々の情報を格納することができる。例えば、花卉の種類に応じた活け方の注意点を示す情報、花卉の原産地や生産者を示す情報、花卉の見頃を示す情報等、コンテンツには花卉に関する情報であればどのような情報が格納されてもよい。
【００３６】
コンテンツデータは、ネットワーク６上に存在する図示しないサーバに格納されている。また、コンテンツ特定情報には、サーバにアクセスするための情報の他、コンテンツ識別子も含まれる。読取部１１は花卉識別子を参照してサーバからコンテンツを取得して記憶部１３に記憶する。ネットワーク６を介して表示部１２が表示する模様を特定する情報を取得することにより、表示部１２は、サーバの管理者がアップデートした最新の模様を取得することができる。
【００３７】
＜非常灯機能＞
花卉用電子機器１は花瓶として機能し、また家庭用のコンセントを動力とするため、ユーザの自宅内に置かれる場合が多いと考えられる。特に花卉が活けられているときは、花卉用電子機器１はユーザの自宅の玄関や居間等に置かれることも多いであろう。
そこで実施の形態に係る花卉用電子機器１は、停電時等の商用電源５からの電力供給が遮断された場合における非常灯としても機能してもよい。
【００３８】
これを実現するために、表示部１２は、商用電源５による電力取得部１４への電力供給が遮断された場合、蓄電部１０の電力で発光する。図８は、商用電源５からの電力供給が遮断された場合における表示部１２の表示画面の一例を示す図である。図８に示すように、表示部１２が蓄電部１０の電力で発光する場合、表示部１２には「非常灯」であることを示す文字と、表示部１２の明るさを設定するための輝度調整インジケータ２２以外の文字や図柄は表示されない。また、非常灯であることを示す文字及び輝度調整インジケータ２２は、ユーザが表示部１２に触れることを契機として表示され、その後所定の時間が経過するまでユーザによるタッチ操作がない場合は消えるようにしてもよい。
【００３９】
輝度調整インジケータ２２は、非常灯として機能している場合における表示部１２の輝度値の調整機能をユーザに提供する。図８に示す輝度調整インジケータ２２は、スライドバーとなっている。ユーザはスライダ２３を操作することで、表示部１２の輝度値を０から最大輝度までの間で設定することができる。
【００４０】
以上説明したように、本発明の実施の形態に係る花卉用電子機器１によれば、活ける花卉に応じた映像を表面に表示する花瓶を提供することができる。
特に、実施の形態に係る花卉用電子機器１は、ネットワーク６を介してサーバ等の外部の機器から花卉に関連付けられたコンテンツを入手できるので、入手するコンテンツを更新することができる。また、花卉に関連付けられたコンテンツは、花卉の種類に応じて定められた模様を含むので、花卉によって異なる外観となる花瓶を提供できる。さらに、花卉用電子機器１は、花卉用電子機器１のユーザに花卉を贈答した送り主のメッセージを表示部１２に表示させることもできる。
【００４１】
実施の形態に係る花卉用電子機器１の表示部１２は、蓄電部１０の電力で駆動できるため、停電時などに非常灯として機能することもできる。花瓶は玄関先や居間等、避難の際に住居者が通過する空間に設置されることが多いと考えられる。このため、花卉用電子機器１が非常灯として機能することで避難時における住居者の安全性を高めることができる。
【００４２】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。以下そのような変形例を説明する。
【００４３】
＜第１の変形例＞
実施の形態の第１の変形例に係る花卉用電子機器１は、容器３と電装部品収容部４との間に、熱の伝導を抑制する断熱部材（不図示）を備える。一般に、花瓶に活けられた花卉は、花瓶内の水の温度が高くなるとその保ちが悪くなる傾向がある。一方、電装部品収容部４には通電によって発熱する電子部品が収容されているため、花卉用電子機器１に通電させると発熱する。断熱部材は電装部品収容部４の内部の発熱が容器３に溜められて水に伝導するのを抑制するので、活けた花の保ちをよくすることができる。
また、同様の理由により、表示部１２と容器３との間にも、熱の伝導を抑制する断熱部材（不図示）が備えられてもよい。
【００４４】
＜第２の変形例＞
第２の変形例に係る花卉用電子機器１は、容器３に溜められた水の温度を計測する水温センサ（不図示）を備える。ユーザは第２の変形例に係る花卉用電子機器１の表示部１２を操作することにより、容器３内の水の温度を表示部１２に表示させることができる。これにより、ユーザは容器３に溜められた水の温度を確認し、水を取り替える必要があるか否かを判断することができる。
【００４５】
＜第３の変形例＞
第３の変形例に係る花卉用電子機器１の制御部１５は図示しない日付取得部を備えており、日付を取得することができる。また第３の変形例に係る花卉用電子機器１の制御部１５は、ネットワーク６を介してサーバと通信することができる。このサーバには、世界の地域毎に、各月において見頃となる花卉の情報が保存されている。第３の変形例に係る花卉用電子機器１のユーザは、花卉用電子機器１の設置場所、すなわち自宅がある地域を花卉用電子機器１に設定することで、表示部１２に各時期における花の映像を表示させることができる。これにより、第３の変形例に係る花卉用電子機器１は、季節に合わせた花を表示するいわば花卉のフォトフレームとして機能することができる。また表示部１２に表示される旬な花の映像を見たユーザは、本物の花を購入するきっかけを作ることができる。
【００４６】
＜第４の変形例＞
第４の変形例に係る花卉用電子機器１は、住宅の玄関に置かれることが想定されている。第４の変形例に係る花卉用電子機器１は、図示しない人感センサを備えており、玄関を出入りする人を検出し、そのログを記憶部１３に記憶させることができる。制御部１５は、人感センサの検出結果をネットワーク６を介して花卉用電子機器１のユーザが所持する携帯端末に送信することができる。これにより、第３の変形例に係る花卉用電子機器１は、防犯システムや高齢者・子供の動向見守りシステムとして機能することができる。
【００４７】
＜第５の変形例＞
第５の変形例に係る花卉用電子機器１は、ユーザの寝室に置かれることが想定されている。第５の変形例に係る花卉用電子機器１は時計も備えており、ユーザによってあらかじめ設定された時間帯は表示部１２の発光を止めたり、発光輝度を低下させたりする。これにより、表示部１２の光によって花卉用電子機器１のユーザの睡眠を妨げることが抑制できる。また、ユーザによって設定された時刻になると、制御部１５は音声出力部１７に音声を出力する。これにより、第５の変形例に係る花卉用電子機器１は、目覚まし時計としても機能することができる。
【００４８】
＜第６の変形例＞
上記では、容器３を構成する面のうち一つの面のみに表示部１２が備えられている場合について説明した。しかしながら、表示部１２の数は１つに限られず、それ以上であってもよい。また、例えば容器３が円筒等の曲面形状である場合には、全周にわたって表示部１２が設けられていてもよい。
【符号の説明】
【００４９】
１・・・花卉用電子機器
２・・・開口
３・・・容器
４・・・電装部品収容部
５・・・商用電源
６・・・ネットワーク
１０・・・蓄電部
１１・・・読取部
１２・・・表示部
１３・・・記憶部
１４・・・電力取得部
１５・・・制御部
１６・・・通信部
１７・・・音声出力部
１８・・・電源
１９・・・防水部材
【図１】
0006722449.tif 000002
【図２】
0006722449.tif 000003
【図３】
0006722449.tif 000004
【図４】
0006722449.tif 000005
【図５】
0006722449.tif 000006
【図６】
0006722449.tif 000007
【図７】
0006722449.tif 000008
【図８】
0006722449.tif 000009